(57)【特許請求の範囲】
【請求項１】
レンズを光軸方向及び光軸垂直方向に二次元的に移動させて画像を形成する複写機に用いられる光学装置であって、
前記レンズを支持する第１の部材と、第１の部材を光軸垂直方向に移動自在に支持するガイドレールと該ガイドレールを光軸方向に移動自在に支持するキャリッジブラケットとを有する第２の部材と、一端を第１の部材に他端を第２の部材にそれぞれ取り付けられ前記レンズの側部を光が通過しないように前記光を遮る伸縮自在な蛇腹と、一端部を前記蛇腹に取り付けられ略鈎状に形成された他端部を前記ガイドレールに摺動可能に係合したガイド部材とを有し、前記ガイド部材は前記一端部が前記レンズの光軸垂直方向への移動時における前記蛇腹の短縮される方向への進行方向前面側に取り付けられていることを特徴とする複写機の光学装置。
【請求項２】
請求項１記載の複写機の光学装置において、
前記ガイド部材が複数設けられていることを特徴とする複写機の光学装置。
【請求項３】
レンズを光軸方向及び光軸垂直方向に二次元的に移動させて画像を形成する複写機であって、
前記レンズを支持する第１の部材と、第１の部材を光軸垂直方向に移動自在に支持するガイドレールと該ガイドレールを光軸方向に移動自在に支持するキャリッジブラケットとを有する第２の部材と、一端を第１の部材に他端を第２の部材にそれぞれ取り付けられ前記レンズの側部を光が通過しないように前記光を遮る伸縮自在な蛇腹と、一端部を前記蛇腹に取り付けられ略鈎状に形成された他端部を前記ガイドレールに摺動可能に係合したガイド部材とを有し、前記ガイド部材は前記一端部が前記レンズの光軸垂直方向への移動時における前記蛇腹の短縮される方向への進行方向前面側に取り付けられていることを特徴とする複写機。
【発明の詳細な説明】
【０００１】
【産業上の利用分野】
本発明は、光軸方向と光軸垂直方向へ移動可能なレンズを備えた複写機の光学装置に関する。
【０００２】
【従来の技術】
従来、アナログ複写機の光学系においては、複写原稿のセット位置が端面基準の場合、複写倍率、原稿サイズ、複写モード等の変更に応じて、レンズを光軸方向及び光軸垂直方向に二次元的に移動させる必要がある。図１０に示すように、レンズはレンズベースに支持されており、レンズベースはレンズレールに支持されている。レンズレールは、光学系本体上を光軸方向に移動可能に設けられており、レンズベースは、レンズレール上を光軸垂直方向に移動可能に設けられている。レンズベースの両側方には、レンズベースが光軸垂直方向に移動する際、光がレンズの側方を通らないように、この光を遮る蛇腹がそれぞれ設けられている。この蛇腹は、レンズベースの移動に伴って伸縮自在に設けられている。
【０００３】
【発明が解決しようとする課題】
しかし、上記蛇腹は、複写機の使用に伴って繰り返しの伸縮を行ううちに、初期に曲げ加工によって付けられた折り目が広げられ、この広がりが経時変化によってある一定以上となると、図１１に示すように座屈した状態となり、蛇腹同士の干渉によってレンズベースが正しい位置に位置決めされず、横レジストずれが発生して印刷不良となるという問題点がある。
【０００４】
本発明は、上述の問題点を解消し、簡単な構成でかつ安価に、蛇腹の座屈に起因する印刷不良の発生を防止した複写機の光学装置の提供を目的とする。
【０００５】
【課題を解決するための手段】
請求項１記載の発明は、レンズを光軸方向及び光軸垂直方向に二次元的に移動させて画像を形成する複写機に用いられる光学装置であって、前記レンズを支持する第１の部材と、第１の部材を光軸垂直方向に移動自在に支持するガイドレールと該ガイドレールを光軸方向に移動自在に支持するキャリッジブラケットとを有する第２の部材と、一端を第１の部材に他端を第２の部材にそれぞれ取り付けられ前記レンズの側部を光が通過しないように前記光を遮る伸縮自在な蛇腹と、一端部を前記蛇腹に取り付けられ略鈎状に形成された他端部を前記ガイドレールに摺動可能に係合したガイド部材とを有し、前記ガイド部材は前記一端部が前記レンズの光軸垂直方向への移動時における前記蛇腹の短縮される方向への進行方向前面側に取り付けられていることを特徴とする。
【０００６】
請求項２記載の発明は、請求項１記載の複写機の光学装置において、さらに、前記ガイド部材が複数設けられていることを特徴とする。
【０００７】
請求項３記載の発明は、レンズを光軸方向及び光軸垂直方向に二次元的に移動させて画像を形成する複写機であって、前記レンズを支持する第１の部材と、第１の部材を光軸垂直方向に移動自在に支持するガイドレールと該ガイドレールを光軸方向に移動自在に支持するキャリッジブラケットとを有する第２の部材と、一端を第１の部材に他端を第２の部材にそれぞれ取り付けられ前記レンズの側部を光が通過しないように前記光を遮る伸縮自在な蛇腹と、一端部を前記蛇腹に取り付けられ略鈎状に形成された他端部を前記ガイドレールに摺動可能に係合したガイド部材とを有し、前記ガイド部材は前記一端部が前記レンズの光軸垂直方向への移動時における前記蛇腹の短縮される方向への進行方向前面側に取り付けられていることを特徴とする。
【０００９】
【作用】
請求項１記載の発明によれば、ガイド部材の一端部を取り付けられた蛇腹は、ガイド部材の他端部に係合したガイドレールに沿って移動する。
【００１０】
請求項２記載の発明によれば、その進行方向前面側にガイド部材の一端部を取り付けられた蛇腹は、ガイド部材の他端部に係合したガイドレールに沿って移動する。
【００１１】
請求項３記載の発明によれば、その最も大きく座屈する部位にガイド部材の一端部を取り付けられた蛇腹は、ガイド部材の他端部に係合したガイドレールに沿って移動する。
【００１２】
請求項４記載の発明によれば、複数のガイド部材の各一端部を取り付けられた蛇腹は、各ガイド部材の他端部に係合したガイドレールに沿って移動する。
【００１３】
【実施例】
図１は、本発明の一実施例を適用可能な複写機の光学系機構の上面図である。同図において、レンズキャリッジ１は、レンズ２を設置したレンズベース３を、コンタクトガラスと平行な面内において光軸方向と垂直な光軸垂直方向に往復動可能に支持するガイドレールとしてのレンズレール４と、キャリッジブラケット５から主に構成されている。キャリッジブラケット５は、光学ベース９に配設されたレール６に跨った状態で設置されており、ワイヤー７に接続されたモーター及び減速機構よりなる図示しない駆動機構によって、複写機の複写倍率に応じて光軸方向に往復動可能に設けられている。
【００１４】
図２は、図１に示した光学系機構の正面図を示している。
レンズキャリッジ１は、その下面にシュー８，８を有しており、光学ベース９上を摺動可能に設けられている。レンズベース３は、レンズレール４の立ち曲げ部４ａに跨った状態でレンズレール４上に載置され、キャリッジブラケット５上に配設された図示しない駆動機構に駆動されるワイヤー１０によって、光軸垂直方向に往復動される。
【００１５】
レンズベース３の両側方には、レンズ２から外れた光が感光体に至るのを防止する蛇腹１１ａ，１１ｂがそれぞれ配設されている。蛇腹１１ａ，１１ｂは、図３に示すように、厚さ０．０５ｍｍ程度の黒色ポリエステルフィルムを曲げ加工したものであって、その両端部の外側には両面テープ１２，１２がそれぞれ貼着されている。蛇腹１１ａは、その一端を、レンズ２の横のレンズベース３上に設けられたＬ型遮光板３ａに、その他端を、レンズレール４の端部に形成された立ち曲げ部４ｂにそれぞれ貼着されており、また、蛇腹１１ｂは、その一端を、レンズ２の横のレンズベース３上に設けられたＬ型遮光板３ｂに、その他端を、キャリッジブラケット５上に設けられた貼付面５ａにそれぞれ貼着されている。各蛇腹１１ａ，１１ｂは、それぞれの下端部が立ち曲げ部４ａによってガイドされるように、レンズレール４上に、レンズレール４より離間した状態で配置されている。
【００１６】
各蛇腹１１ａ，１１ｂには、ガイド部材１３，１３がそれぞれ取り付けられている。ガイド部材１３は、図４に示すように略Ｊ字状形状を呈した板材であり、その一端部１３ａには両面テープ１４が貼着され、他端部１３ｂは略９０度に曲折されて鈎状を呈している。ガイド部材１３は、図５に示すように、一端部１３ａを両面テープ１４によって各蛇腹１１ａ，１１ｂの下部に貼着すると共に、他端部１３ｂを立ち曲げ部４ａに係合させることで、各蛇腹１１ａ，１１ｂに取り付けられる。ガイド部材１３を、このように各蛇腹１１ａ，１１ｂに取り付けることにより、各蛇腹１１ａ，１１ｂが伸縮動作を行うときに、図５の矢印方向への各蛇腹１１ａ，１１ｂの移動が規制され、座屈が防止される。
【００１７】
図６、図７は、ガイド部材１３を蛇腹１１ａ（１１ｂ）に取り付け、レンズベース３を図の右方（蛇腹を短縮する方向）へ移動させる際の蛇腹１１ａの状態を示している。
【００１８】
ガイド部材１３は、レンズベース３が移動するとき、他端部１３ｂと立ち曲げ部４ａとの間に働く摩擦力により、他端部１３ｂが引きずられる方向（図の矢印方向）に傾く。ガイド部材１３が、その一端部１３ａを蛇腹１１ａの進行方向後面側に取り付けられていると、ガイド部材１３が自由に傾くために、図６に示すように蛇腹１１ａが大きく変形して自らが短縮される動きが妨げられるが、ガイド部材１３の一端部１３ａが蛇腹１１ａの進行方向前面側に取り付けられていると、ガイド部材１３の動きが蛇腹１１ａによってある程度規制されるため、図７に示すように蛇腹１１ａの変形が抑えられ、蛇腹１１ａが短縮される動きは妨げられない。
【００１９】
また、蛇腹１１ａ，１１ｂが伸縮動作時に力を受けて座屈する場合、図８に示すようにその中央部付近から座屈し始めるとは限らず、図９に示すように、中央部から外れた部分が偏って座屈し始める場合がある。このような場合に対応するため、ガイド部材１３の取付位置を、蛇腹１１ａ（１１ｂ）の中央部付近には限定せず、ガイド部材１３を取り付けない状態で蛇腹１１ａの伸縮動作を複数回繰り返して行い、蛇腹１１ａの座屈を開始する部位を目視によって確認し、その部位にガイド部材１３を取り付けることによって、蛇腹１１ａ（１１ｂ）の座屈を効果的に防止することができる。
【００２０】
さらに、各蛇腹１１ａ，１１ｂに対してガイド部材１３を複数個取り付けることにより、より効果的に各蛇腹１１ａ，１１ｂの座屈を防止することができる。
【００２１】
【発明の効果】
請求項１記載の発明によれば、蛇腹は、ガイド部材の一端部を取り付けられた状態で、ガイド部材の他端部に係合したガイドレールに沿って、ガイドレールから離れることなく移動するので、蛇腹への座屈の発生が抑制され、印刷不良が防止される。
【００２２】
請求項２記載の発明によれば、蛇腹は、その進行方向前面側にガイド部材の一端部を取り付けられた状態で、ガイド部材の他端部に係合したガイドレールに沿って、ガイドレールから離れることなく移動し、かつ、ガイド部材によって自らの動きを妨げられることがないので、蛇腹への座屈の発生がさらに抑制され、印刷不良が防止される。
【００２３】
請求項３記載の発明によれば、蛇腹は、その最も大きく座屈する部位にガイド部材の一端部を取り付けられた状態で、ガイド部材の他端部に係合したガイドレールに沿って、ガイドレールから離れることなく移動するので、蛇腹への座屈の発生がさらに抑制され、印刷不良が防止される。
【００２４】
請求項４記載の発明によれば、蛇腹は、複数のガイド部材の各一端部を取り付けられた状態で、各ガイド部材の他端部に係合したガイドレールに沿って、ガイドレールから離れることなく移動するので、蛇腹への座屈の発生がさらに抑制され、印刷不良が防止される。
【図面の簡単な説明】
【図１】本発明の一実施例を適用可能な複写機の光学装置の上面図である。
【図２】本発明の一実施例を適用可能な複写機の光学装置の正面図である。
【図３】本発明の一実施例に用いられる蛇腹を説明する図である。
【図４】本発明の一実施例を示すガイド部材の正面図である。
【図５】本発明の一実施例を説明する図である。
【図６】本発明の一実施例を説明する図である。
【図７】本発明の他の実施例を説明する図である。
【図８】本発明の一実施例における蛇腹の状態を説明する図である。
【図９】本発明の一実施例における蛇腹の状態を説明する図である。
【図１０】本発明の従来技術を説明する図である。
【図１１】従来技術の問題点を説明する図である。
【符号の説明】
２    レンズ
１１ａ，１１ｂ  蛇腹
１３    ガイド部材
１３ａ  一端部
１３ｂ  他端部
【図１】
0003768554.tif 000002
【図２】
0003768554.tif 000003
【図３】
0003768554.tif 000004
【図４】
0003768554.tif 000005
【図５】
0003768554.tif 000006
【図６】
0003768554.tif 000007
【図７】
0003768554.tif 000008
【図８】
0003768554.tif 000009
【図９】
0003768554.tif 000010
【図１０】
0003768554.tif 000011
【図１１】
0003768554.tif 000012